(57)【要約】【課題】本発明は、組み立てが容易で回転が良好な把手を提供する。【解決手段】本発明の把手１は、平面視略コ字型の把持部２と、把持部２の一端部２ａから内側に突出する一端側軸部２１に取り付けた、把持部２を傾倒する方向に付勢するバネ部３と、把持部２の他端部２ｂから内側に突出する他端側軸部２２に取り付けた、前記バネ部３の付勢力を減衰するダンパー部４と、該ダンパー部４を納めるケース部５と、前記ケース部５を嵌め込みつつ、前記両軸部２１，２２を回転可能に納めるカバー部６とを備えたことを特徴とする。【選択図】図１
2009045247.tif 000002
【特許請求の範囲】
【請求項１】
平面視略コ字型の把持部と、把持部の一端部から内側に突出する一端側軸部に取り付けた、把持部を傾倒する方向に付勢するバネ部と、把持部の他端部から内側に突出する他端側軸部に取り付けた、前記バネ部の付勢力を減衰するダンパー部と、該ダンパー部を納めるケース部と、前記ケース部を内部に嵌め込みつつ、前記両軸部を回転可能に納めるカバー部とを備えた把手。
【請求項２】
前記カバー部内側に内壁部を形成し、該内壁部の面上に前記両軸部の先端が接する構成とした請求項１に記載の把手。
【請求項３】
前記ケース部を、前記ダンパー部を略隙間なく納める横穴状のダンパー納め部を有する構成とし、前記カバー部を、前記ケース部を下方から略隙間なく嵌め込めるケース固定部を有する構成としてある請求項１又は２に記載の把手。
【請求項４】
平面視略コ字型の把持部の一端部から内側に突出する一端側軸部に、把持部を傾倒する方向に付勢するバネ部を取り付け、ケース部に前記バネ部の付勢力を減衰するダンパー部を納め、該ダンパー部を把持部の他端部から内側に突出する他端側軸部に取り付けた後に、前記ケース部を内部に嵌め込みつつ、前記両軸部を回転可能に納めてカバー部を取り付ける把手の組立方法。
【発明の詳細な説明】
【技術分野】
【０００１】
本発明は、スーツケース、アタッシュケース等の鞄などに取り付ける把手に関する。
【背景技術】
【０００２】
従来の把手としては、下記特許文献１に示されているように、樹脂製のハンドルにダンパーを取り付けたものがある。これは、ダンパーによりハンドルが倒れる速度を減衰させ、ハンドルが倒れた際に発生する衝撃音を防ぐものである。
また、上記把手は、ベース部材にハンドル、バネやダンパーを組み付けていくことにより完成させることができ、組み立てが容易なものである。
【０００３】
【特許文献１】特開２０００−３０７２６２号公報
【発明の開示】
【発明が解決しようとする課題】
【０００４】
上記把手は、主に配電箱などに取り付けるものであり、このように把手を設置するための面積が広くとれるものに対しては、ベース部材を設けることができるが、スーツケース、アタッシュケース等の鞄などに把手を取り付ける場合は、把手を取り付ける箇所が限られており、ベース部材を設けることができないことがあるため、ベース部材を備えずにダンパーやバネなど組み付けることは困難であった。
また、上記把手のハンドルは、製造する際、型成形し、冷却するときに収縮し、図８の点線で示すように、内側に傾斜し、両端部間が設計寸法よりも短くなることが多々あり、このため、ハンドルの端部が軸受部などにこすれてしまい、回転しにくいことがあった。
【０００５】
そこで、本発明の目的は、組み立てが容易で回転が良好な把手を提供することにある。
【課題を解決するための手段】
【０００６】
本発明の把手は、平面視略コ字型の把持部と、把持部の一端部から内側に突出する一端側軸部に取り付けた、把持部を傾倒する方向に付勢するバネ部と、把持部の他端部から内側に突出する他端側軸部に取り付けた、前記バネ部の付勢力を減衰するダンパー部と、該ダンパー部を納めるケース部と、前記ケース部を内部に嵌め込みつつ、前記両軸部を回転可能に納めるカバー部とを備えたことを特徴とする。
【０００７】
このような構成とすることにより、バネ部を把持部の一端側軸部に取り付け、ダンパー部をケース部に取り付けてから把持部の他端側軸部に取り付け、カバー部にケース部を嵌め込み、両軸部を納めれば把手を形成することができ、容易に把手を組み立てることができる。
【０００８】
上記把手は、前記カバー部内側に内壁部を形成し、該内壁部面上に前記両軸部の先端が接する構成とすることが好ましい。
【０００９】
このような構成とすることにより、把持部を型成形して製造する際、冷却時に収縮して把持部の両端部間が設計寸法よりも短くなったとしても、両軸部の先端が内壁部面上に接する構成としてあるため、把持部の両端部間の距離が広げられて把持部の端部が軸受けなどにこすれることがなくなり、把持部が回転しやすくなる。
【００１０】
上記把手は、前記ケース部を、前記ダンパー部を略隙間なく納める横穴状のダンパー納め部を有する構成とし、前記カバー部を、前記ケース部を下方から略隙間なく嵌め込めるケース固定部を有する構成とすることが好ましい。
【００１１】
このような構成とすることにより、ダンパー部が確実に固定されて軸が振れず、より回転しやすい把手となる。
【００１２】
また、本発明の把手の組立方法は、平面視略コ字型の把持部の一端部から内側に突出する一端側軸部に、把持部を傾倒する方向に付勢するバネ部を取り付け、ケース部に前記バネ部の付勢力を減衰するダンパー部を納め、該ダンパー部を把持部の他端部から内側に突出する他端側軸部に取り付けた後に、前記ケース部を内部に嵌め込みつつ、前記両軸部を回転可能に納めてカバー部を取り付けることを特徴とする。
【００１３】
このように、一端側軸部にバネ部を取り付け、ダンパー部を、ケース部に納めて他端側軸部に取り付けておき、カバー部をケース部に嵌め込み、両軸部を納めるようにすれば把手を形成することができ、容易に組み立てることができる。
【発明を実施するための最良の形態】
【００１４】
以下、本発明の一実施形態を、図面を用いて説明する。
図１は本発明の一実施形態の把手の分解斜視図、図２は把手の端部の拡大斜視図、図３〜６は把手の構成部品を示した図である。
【００１５】
本発明の一実施形態の把手１は、把持部２と、バネ部３と、ダンパー部４と、ケース部５と、カバー部６とを主な構成として備えてなり、把持部２と、ケース部５と、カバー部６とは樹脂で形成してある。
【００１６】
把持部２は、図１に示すように、平面視略コ字型であり、一端部２ａに内側に突出した一端側軸部２１が設けてあり、他端部２ｂに内側に突出した他端側軸部２２が設けてある。
一端側軸部２１は、図２（Ａ）に示すように、基部側から順に回転軸部２１ａ、仕切部２１ｂ、バネ固定部２１ｃを略円柱乃至円盤状に形成してある。これらは同心円状に形成してあり、仕切部２１ｂは回転軸部２１ａよりも大径に、バネ固定部２１ｃは回転軸部２１ａよりも小径に形成してある。バネ固定部２１ｃには、溝部２１ｄが直径方向に形成してある。バネ固定部２１ｃの先端２１ｅは、後述するカバー部６の内壁部６５の面上に接するように形成してある。
【００１７】
他端側軸部２２は、図２（Ｂ）に示すように、基部側から順に回転軸部２２ａ、仕切部２２ｂ、ダンパー固定部２２ｃを略円柱乃至円盤状に形成してある。これらは同心円状に形成してあり、仕切部２２ｂは回転軸部２２ａよりも大径に、ダンパー固定部２２ｃは回転軸部２２ａよりも小径に形成してある。仕切部２２ｂには、溝部２２ｄが直径方向に形成してある。ダンパー固定部２２ｃの先端２２ｅは、後述するカバー部６の内壁部６６の面上に接するように形成してある。
【００１８】
バネ部３は、図１又は３に示すように、ねじりコイルバネであり、把持部２を傾倒する方向に付勢するものである。バネ部３の一端部３ａは、このバネ部３の中心を通るように直径方向に折り曲げてあり、ここを溝部２１ｄに挿入しつつ、バネ固定部２１ｃに挿し込み、バネ部３を一端側軸部２１に取り付けできるようにしてある。バネ部３の他端部３ｂは、接線方向に突出するように形成し、カバー部６内に納めた際、カバー部６の内面に接するようにしてある。
【００１９】
ダンパー部４は、図１又は４に示すように、略中心に孔部４ａを有する略円筒形状であり、内周面側に、ダンパー軸部４１が形成してあり、バネ部３の付勢力を減衰し、傾倒する把持部２の速度を落とすことができるものである。孔部４ａは、ダンパー固定部２２ｃを挿し通せ、ダンパー部４を把持部２の他端側軸部２２に取り付けることができる。
ダンパー軸部４１の一端側は、ダンパー部４の一端面４ｂから突出させて嵌め合わせ部４１ａとしてある。嵌め合わせ部４１ａの両側は、直径方向に並行に切り欠いてあり、仕切部２２ｂの溝部２２ｄに嵌め合わせ、仕切部２２ｂの回転とともにダンパー軸部４１が回転するようにしてある。
また、外周面側には、長さ方向に断面略矩形状に突出した一筋の突出部４２が形成してある。
【００２０】
ケース部５は、図１又は５に示すように、上面を半円状に盛り上げた山形状としてあり、上方にダンパー部４を略隙間なく納めることができる横穴状のダンパー納め部５１を形成し、下方にカバー部６に嵌め込むことができる略矩形体の台座部５２を形成してある。
ダンパー納め部５１は、一側面を略円形状に開口させ、他側面を底部５１ａとしてあり、底部５１ａの略中心には、ダンパー固定部２２ｃを略隙間なく挿し通せる略円形状の孔部５１ｂが形成してある。ダンパー納め部５１の内周面の下側には、長さ方向に伸びる断面略矩形状の溝部５３が形成してあり、ここに突出部４２を合わせてダンパー部４をダンパー納め部５１に納めることができる。
台座部５２は、ダンパー納め部５１の外周面５１ｂの直径よりも若干幅広に形成し、後述するカバー部６の両側面部６１間に嵌め込むことができるようにしてある。
【００２１】
カバー部６は、図１又は６に示すように、把持部２の両端部２ａ，２ｂ間に納まるように両端部２ａ，２ｂ間の長さと略同じ長さに形成してあり、下方を開口させ、両側面部６１と、上面部６２と、両端面部６３，６４とを有する形状としてある。
両側面部６１は、長さ方向に並行した略矩形板状としてあり、この間にケース部５の台座部５２が嵌め込めるようにしてある。
上面部６２は、両端側を半円状に盛り上げた形状とし、中央付近を平面形状に形成してあり、盛り上げた部分の一端側にバネ部３及び一端側軸部２１が納まり、他端側にダンパー部４、ケース部５及び他端側軸部２２が納まるように形成してある。
両端面部６３，６４は、下側からＵ状に切り欠いた切り欠き部６３ａ，６４ａを形成してあり、ここを、回転軸部２１ａ，２２ａを納める軸受けとして形成してある。
【００２２】
カバー部６の内側には、内部を仕切るように幅方向に沿い２つの内壁部６５，６６が形成してあり、両側面部６１と、上面部６２と、端面部６４と、内壁部６６とで囲まれた空間を、ケース部５が略隙間なく納めることができるケース固定部６７としてある。内壁部６５は、端面部６３からの距離を、一端側軸部２１の長さよりも若干短く形成し、内壁部６５の面上にバネ固定部２１ｃの先端２１ｅが接するようにしてある。また、内壁部６６は、端面部６４からの距離を、他端側軸部２２の長さよりも若干短く形成し、内壁部６６の面上にダンパー固定部２２ｃの先端２２ｅが接するようにしてある。
カバー部６の内部の適宜位置には、円筒状の固定部６８が形成してあり、ネジなどの締結部材をここに締結し、鞄などに固定できるようにしてある。
【００２３】
以下に、把手１の組み立て方法の一例を説明する。
バネ部３の一端部３ａを溝部２１ｄに挿入しつつ、バネ部３を、バネ固定部２１ｃに挿し込み、把持部２の一端側軸部２１に取り付ける。
次に、ダンパー部４の突出部４２とケース部５の溝部５３とを合わせ、ダンパー部４を、嵌め合わせ部４１ａが表出するようにダンパー納め部４１内に挿し込み、ケース部５内に納める。この納めた状態で、把持部２のダンパー固定部２２ｃをダンパー部４の孔部４ａに挿し込み、嵌め合わせ部４１ａと溝部２２ｄとを嵌め合わせ、ダンパー部４及びケース部５を把持部２の他端側軸部２２に取り付ける。
【００２４】
図７に示すように、バネ部３、ダンパー部４及びケース部５を把持部２に取り付けた状態で、カバー部５を、ケース部５に嵌め込みつつ、回転軸部２１ａ，２２ａを切り欠き部６３ａ，６４ａに納めて把手１を組み立てることができる。
【００２５】
把手１は、このように簡単に組み立てることができ、ケース部５の台座部５２がケース部６の両側面６ａ，６ｂ間に嵌め込まれているので、把持部２とケース部６とが簡単に外れることはない。
【００２６】
把手１は、バネ固定部２１ｃの先端が内壁部６５の面上に接し、ダンパー固定部２２ｃの先端が内壁部６６の面上に接しているため、把持部２を型成形して製造する際、冷却する際に収縮して両端部２ａ，２ｂが内向きとなり、両端部２ａ，２ｂ間の距離が短くなったとしても、把持部２の両端部２ａ，２ｂ間が押し広げられ、両端部２ａ，２ｂとカバー部６の端面部６３，６４がこすれることがないため、把持部２が回転しやすくなる。
【００２７】
上記組み立て方法では、バネ部３を先に把持部２に取り付けたが、ダンパー部４及びケース部５を先に把持部３に取り付けても、把手１を組み立てることができる。
【００２８】
なお、上記実施形態の構成態様は、本発明を限定するものとして挙げたものではなく、技術目的を共通にするかぎり変更は可能であり、本発明はそのような変更を含むものである。
【図面の簡単な説明】
【００２９】
【図１】本発明の一実施形態の把手の分解斜視図である。
【図２】図１に示した把手を示し、（Ａ）は一端部側の拡大斜視図、（Ｂ）は他端部側の拡大斜視図である。
【図３】図１に示した把手の構成部品であるバネ部を示した正面図である。
【図４】図１に示した把手の構成部品であるダンパー部を示した正面図である。
【図５】図１に示した把手の構成部品であるケース部を示した正面図である。
【図６】図１に示した把手の構成部品であるカバー部の裏側からの斜視図である。
【図７】図１に示した把手の組立方法の一例を示した斜視図である。
【図８】従来例の把手のハンドルを示した平面図である。
【符号の説明】
【００３０】
１把手
２把持部
２ａ一端部
２ｂ他端部
２１一端側軸部
２１ａ回転軸部
２１ｂ仕切部
２１ｃバネ固定部
２１ｄ溝部
２１ｅ先端
２２回転軸部
２２ａ回転軸部
２２ｂ仕切部
２２ｃダンパー固定部
２２ｄ溝部
２２ｅ先端
３バネ部
３ａ一端部
３ｂ他端部
４ダンパー部
４ａ孔部
４ｂ一端面
４１ダンパー軸部
４１ａ嵌め合わせ部
４２突出部
５ケース部
５１ダンパー納め部
５１ａ底部
５１ｂ孔部
５２台座部
５３溝部
６カバー部
６１側面部
６２上面部
６３端面部
６３ａ切り欠き部
６４端面部
６４ａ切り欠き部
６５内壁部
６６内壁部
６７ケース固定部
６８固定部
【図１】
2009045247.tif 000003
【図２】
2009045247.tif 000004
【図３】
2009045247.tif 000005
【図４】
2009045247.tif 000006
【図５】
2009045247.tif 000007
【図６】
2009045247.tif 000008
【図７】
2009045247.tif 000009
【図８】
2009045247.tif 000010
【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
平面視略コ字型の把持部と、把持部の一端部から内側に突出する一端側軸部に取り付けた、把持部を傾倒する方向に付勢するバネ部と、把持部の他端部から内側に突出する他端側軸部に取り付けた、前記バネ部の付勢力を減衰するダンパー部と、該ダンパー部を納めるケース部と、前記ケース部を内部に嵌め込みつつ、前記両軸部を回転可能に納めるカバー部とを備え、前記カバー部内側に内壁部を形成し、該内壁部の面上に前記両軸部の先端が接する構成とした把手。
【請求項２】
前記ケース部を、前記ダンパー部を略隙間なく納める横穴状のダンパー納め部を有する構成とし、前記カバー部を、前記ケース部を下方から略隙間なく嵌め込めるケース固定部を有する構成としてある請求項１に記載の把手。
【手続補正２】
【補正対象書類名】明細書
【補正対象項目名】００２３
【補正方法】変更
【補正の内容】
【００２３】
以下に、把手１の組み立て方法の一例を説明する。
バネ部３の一端部３ａを溝部２１ｄに挿入しつつ、バネ部３を、バネ固定部２１ｃに挿し込み、把持部２の一端側軸部２１に取り付ける。
次に、ダンパー部４の突出部４２とケース部５の溝部５３とを合わせ、ダンパー部４を、嵌め合わせ部４１ａが表出するようにダンパー納め部５１内に挿し込み、ケース部５内に納める。この納めた状態で、把持部２のダンパー固定部２２ｃをダンパー部４の孔部４ａに挿し込み、嵌め合わせ部４１ａと溝部２２ｄとを嵌め合わせ、ダンパー部４及びケース部５を把持部２の他端側軸部２２に取り付ける。
【手続補正３】
【補正対象書類名】明細書
【補正対象項目名】００２４
【補正方法】変更
【補正の内容】
【００２４】
図７に示すように、バネ部３、ダンパー部４及びケース部５を把持部２に取り付けた状態で、ケース部５を、カバー部６に嵌め込みつつ、回転軸部２１ａ，２２ａを切り欠き部６３ａ，６４ａに納めて把手１を組み立てることができる。
【手続補正４】
【補正対象書類名】明細書
【補正対象項目名】００２５
【補正方法】変更
【補正の内容】
【００２５】
把手１は、このように簡単に組み立てることができ、ケース部５の台座部５２がカバー部６の両側面６１間に嵌め込まれているので、把持部２とカバー部６とが簡単に外れることはない。
【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
平面視略コ字型の把持部と、把持部の一端部から内側に突出する一端側軸部に取り付けた、把持部を傾倒する方向に付勢するバネ部と、把持部の他端部から内側に突出する他端側軸部に取り付けた、前記バネ部の付勢力を減衰するダンパー部と、該ダンパー部を略隙間なく納める横穴状のダンパー納め部を有するとともに、該ダンパー部を貫通した他端側軸部の先端側を略隙間なく挿し通せる孔部を有するケース部と、該ケース部を内部に嵌め込みつつ、前記両軸部を回転可能に納めるカバー部とを備え、該カバー部内側に内壁部を形成し、該内壁部の面上に前記両軸部の先端が接する構成とした把手。